(57)【特許請求の範囲】
【請求項１】
一端部および当該一端部に対向する他端部に開口部を有し、側壁に卵の回収対象とされる魚類が通過可能な連通部を備えた筒状の枠体と、
前記枠体に対して着脱可能で、かつ前記魚類の卵の大きさより小さな網目を有すると共に、前記枠体に装着された状態で、前記枠体の内部に前記魚類の産卵場所を形成するように少なくとも一部が前記枠体の内部に収納される網体と、
を備えた魚類卵回収具。
【請求項２】
前記網体は、前記枠体の内部に収納された場合に、周端部が当該枠体の外部に位置する部分を有する
請求項１記載の魚類卵回収具。
【請求項３】
前記枠体は、水に浮く材料で構成されると共に、前記魚類が産卵可能な水域に設置された状態で、前記側壁の水面下に位置する部分に前記連通部の少なくとも一部を備えた
請求項１または請求項２記載の魚類卵回収具。
【請求項４】
前記枠体の内部に前記網体が収納された状態で、前記網体により形成された産卵場所に前記魚類が産卵するための水草を保持する保持部材
をさらに備えた請求項１〜請求項３の何れか１項記載の魚類卵回収具。
【請求項５】
前記枠体および前記網体の少なくとも一方は、前記水草と同一系統の色に着色されている
請求項４記載の魚類卵回収具。
【請求項６】
前記魚類は、ドジョウである
請求項１〜請求項５の何れか１項記載の魚類卵回収具。
【請求項７】
卵の回収対象とされる魚類が産卵可能な水域に、一端部および当該一端部に対向する他端部に開口部を有し、側壁に前記魚類が通過可能な連通部を備えた筒状の枠体を、前記連通部の少なくとも一部が水面下に位置するように設け、
前記枠体に対して着脱可能で、かつ前記魚類の卵の大きさより小さな網目を有すると共に、前記枠体に装着された状態で、前記枠体の内部に前記魚類の産卵場所を形成するように少なくとも一部が前記枠体の内部に収納される網体を、前記枠体に装着し、
前記枠体の内部において前記魚類により産卵が行われた後に、前記網体を前記枠体から取り外して当該網体により捕獲されている卵を回収する
魚類卵回収方法。
【発明の詳細な説明】
【技術分野】
【０００１】
本発明は、魚類の卵を回収する魚類卵回収具および魚類卵回収方法に関する。
【背景技術】
【０００２】
従来より、食用、観賞用、愛玩用、研究用、餌用等として、多くの種類の魚類が養殖されている。
【０００３】
例えば、ドジョウはドジョウ科に属し、自然界では、水田、湿地、池や、これらの周辺の細流に多く生息しているが、河川の中流から下流域、用水路等の流れの緩やかな泥底にも生息している。ドジョウの食性は雑食性で、主に泥の中にある有機物や小動物を泥ごと吸い取って鰓耙で選り分けて食べるが、底生藻類、イトミミズ、ユスリカの幼虫等も食べる。
【０００４】
ドジョウの産卵期は４月から７月で、この時期の雄は背びれの前および基底近くに各々一対のこぶ状の突起が現れる。また、ドジョウの産卵は細流や水田等の水域で夜間に行われ、産卵時には雄が雌の腹部に巻き付くようにするが、このときに雄の尖った胸びれやこぶ状の突起が役立っている。さらに、ドジョウは、卵を水草や稲株等に産み付けるが、ここから離れるものが多く、泥底にばらまくように産卵する。
【０００５】
また、例えば、メダカはメダカ科に属し、自然界では、平野部の池や沼の他、水田や水路、小川等の細流に生息し、群れになって生活している。また、メダカは、上記細流の表層を泳いでおり、主に動物プランクトンや当該細流に落下した昆虫の他、付着藻類等も食べるが、底生生物は殆ど食べない。メダカの産卵期は、地域によっても差があるが、４月から１０月で、雌は暫く受精卵を体につけたまま泳いでいるが、やがて水草等に付着させる。
【０００６】
ところで、以上のようなドジョウやメダカ等の魚類の卵を効率よく回収するために適用することのできる技術として、特許文献１には、所定の広さと深さを持つ水槽の底面に、網目が不規則な目を持った材料で構成され、一方の表面に一定の間隔を保って水草が植え付けられた複数枚の産卵用魚巣を配置し、更に上記産卵用魚巣から所定長離反した部位に、親魚の隠れ場所となる複数個のパイプの束を沈めておき、水槽内に給水管を用いて清浄水を給水して、水槽内にドジョウの雌親と雄親とを放して産卵行動を誘発することにより、産卵用魚巣に産卵をさせ、その後送気管を介して水槽内にエアを供給しながら卵を孵化させて所定期間初期育成を行い、稚魚を適当な大きさまで成長させた後に養殖池に放流するドジョウの産卵育成方法が開示されている。
【０００７】
この技術における産卵用魚巣から卵を回収することにより、比較的効率よく卵を回収することができる。
【０００８】
また、特許文献２には、実験用または観賞用のメダカやゼブラフィッシュなどの小型魚を飼育して卵を回収するための小型魚飼育用水槽であって、水と小型魚を収容する上面開口の水槽本体と、該水槽本体の内部を長さ方向に主室と隔離室に仕切る態様で設けられた着脱自在の仕切部材と、端部が回動自在に連結された底板と壁板とからなり、通常時には底板が水槽本体の底面部に当接され、かつ壁板が仕切板と対向する態様で配置され、底板が小型魚の卵を付着するものとなされた回収部材とを備えた小型魚飼育用水槽を用いた小型魚産卵回収方法が開示されている。
【先行技術文献】
【特許文献】
【０００９】
【特許文献１】特開平５−３３６８６０号公報
【特許文献２】特開２００９−２６１３３８号公報
【発明の概要】
【発明が解決しようとする課題】
【００１０】
しかしながら、上記特許文献１および特許文献２に開示されている技術は、共に、対象とする魚類に対して水槽で産卵させることが前提とされており、自然な状態で産卵を行わせることには対応しておらず、この結果として、必ずしも効率よく卵を回収することができるとは限らない、という問題点があった。なお、この問題点は、上述したドジョウやメダカに限らず、コイ、フナ等の他の魚類にも生じ得る問題点である。
【００１１】
本発明は上記問題点を解決するためになされたものであり、効率よく卵を回収することのできる魚類卵回収具および魚類卵回収方法を提供することを目的とする。
【課題を解決するための手段】
【００１２】
上記目的を達成するために、本発明の魚類卵回収具は、一端部および当該一端部に対向する他端部に開口部を有し、側壁に卵の回収対象とされる魚類が通過可能な連通部を備えた筒状の枠体と、前記枠体に対して着脱可能で、かつ前記魚類の卵の大きさより小さな網目を有すると共に、前記枠体に装着された状態で、前記枠体の内部に前記魚類の産卵場所を形成するように少なくとも一部が前記枠体の内部に収納される網体と、を備えている。
【００１３】
本発明の魚類卵回収具によれば、一端部および当該一端部に対向する他端部に開口部を有し、側壁に卵の回収対象とされる魚類が通過可能な連通部を備えた筒状の枠体に、当該枠体に対して着脱可能で、かつ当該魚類の卵の大きさより小さな網目を有すると共に、当該枠体に装着された状態で、当該枠体の内部に当該魚類の産卵場所を形成するように少なくとも一部が当該枠体の内部に収納される網体が装着される。
【００１４】
以上のような魚類卵回収具は、水槽のみならず、水田、湿地等といった、卵の回収対象とする魚類が生息し、産卵する自然界においても用いることができるため、当該魚類に対して、より効率的に産卵させることができる。この結果、本発明に係る魚類卵回収具は、水槽を用いて卵を産卵させ、回収する技術に比較して、より効率よく卵を回収することができる。
【００１５】
また、本発明に係る魚類卵回収具は、枠体が、側壁に卵の回収対象とされる魚類が通過可能な連通部を備えている。このため、本発明に係る魚類卵回収具を、当該連通部の少なくとも一部が水面下に位置される状態で水田等の水域に設置することにより、魚類が枠体の内部に進入しやすくなるため、結果として、本発明の連通部を備えていない場合に比較して、より効率よく卵を回収することができる。
【００１６】
また、本発明に係る魚類卵回収具は、魚類の卵の大きさより小さな網目を有する網体が、枠体に装着された状態で、当該枠体の内部に当該魚類の産卵場所を形成するように少なくとも一部が当該枠体の内部に収納される。このため、魚類により産卵場所に産卵された卵は本発明の網体によって捕獲されるため、本発明の網体を用いない技術に比較して、より効率よく卵を回収することができる。
【００１７】
さらに、本発明に係る魚類卵回収具は、卵が捕獲された状態で網体を枠体から取り外して卵を回収することができるため、網体と枠体とが一体的に構成されている場合に比較して、より効率よく卵を回収することができる。
【００１８】
このように、本発明の魚類卵回収具によれば、一端部および当該一端部に対向する他端部に開口部を有し、側壁に卵の回収対象とされる魚類が通過可能な連通部を備えた筒状の枠体と、前記枠体に対して着脱可能で、かつ前記魚類の卵の大きさより小さな網目を有すると共に、前記枠体に装着された状態で、前記枠体の内部に前記魚類の産卵場所を形成するように少なくとも一部が前記枠体の内部に収納される網体と、を備えているので、本発明を適用しない場合に比較して、より効率よく卵を回収することができる。
【００１９】
なお、本発明は、前記網体が、前記枠体に装着された状態で、前記枠体の一端部の開口部と他端部の開口部との間を仕切るか、または一端部の開口部または他端部の開口部を内側から覆うように、当該枠体の内部に収納されてもよい。これにより、産卵された卵は本発明の網体によってもれなく捕獲される結果、本発明の網体を用いない技術に比較して、より効率よく卵を回収することができる。
【００２０】
また、本発明は、前記網体が、前記枠体の内部に収納された場合に、周端部が当該枠体の外部に位置する部分を有してもよい。これにより、網体の上記周端部を把持した状態で当該網体を枠体から取り外すことができる結果、より簡易に卵を回収することができる。
【００２１】
特に、本発明は、前記枠体が、水に浮く材料で構成されると共に、前記魚類が産卵可能な水域に設置された状態で、前記側壁の水面下に位置する部分に前記連通部の少なくとも一部を備えてもよい。これにより、枠体が水に浮いた状態で卵を回収する作業を行うことできる結果、より効率よく卵を回収することができる。
【００２２】
また、本発明は、前記枠体の内部に前記網体が収納された状態で、前記網体により形成された産卵場所に前記魚類が産卵するための水草を保持する保持部材をさらに備えてもよい。これにより、魚類にとって産卵しやすい環境を作り上げることができる結果、より多量の卵を産卵させることができ、この結果として、より効率よく卵を回収することができる。
【００２３】
特に、本発明は、前記枠体および前記網体の少なくとも一方が、前記水草と同一系統の色に着色されていてもよい。これによっても、魚類にとって産卵しやすい環境を作り上げることができる結果、より効率よく卵を回収することができる。
【００２４】
さらに、本発明は、前記魚類が、ドジョウであるものとしてもよい。これにより、ドジョウにより枠体の内側で泥底にばらまくように産卵された卵を網体により回収できる結果、本発明を他の魚類に関して適用する場合に比較して、効率よく卵を回収することができる効果を、より享受することができる。
【００２５】
一方、上記目的を達成するために、本発明の魚類卵回収方法は、卵の回収対象とされる魚類が産卵可能な水域に、一端部および当該一端部に対向する他端部に開口部を有し、側壁に前記魚類が通過可能な連通部を備えた筒状の枠体を、前記連通部の少なくとも一部が水面下に位置するように設け、前記枠体に対して着脱可能で、かつ前記魚類の卵の大きさより小さな網目を有すると共に、前記枠体に装着された状態で、前記枠体の内部に前記魚類の産卵場所を形成するように少なくとも一部が前記枠体の内部に収納される網体を、前記枠体に装着し、前記枠体の内部において前記魚類により産卵が行われた後に、前記網体を前記枠体から取り外して当該網体により捕獲されている卵を回収するものである。
【００２６】
従って、本発明の魚類卵回収方法によれば、本発明の魚類卵回収具と同様に作用するので、当該魚類卵回収具と同様に、本発明を適用しない場合に比較して、効率よく卵を回収することができる。
【発明の効果】
【００２７】
本発明の魚類卵回収具および魚類卵回収方法によれば、本発明を適用しない場合に比較して、効率よく卵を回収することができる、という効果が得られる。
【図面の簡単な説明】
【００２８】
【図１】実施の形態に係る魚類卵回収具の構成の一例を示す平面図である。
【図２】実施の形態に係る魚類卵回収具の構成の一例を示す側面図である。
【図３】実施の形態に係る魚類卵回収具の構成の一例を示す側面断面図である。
【図４】実施の形態に係る枠体の構成部品の説明に供する斜視図である。
【図５】実施の形態に係る枠体および網体の説明に供する要部斜視図である。
【図６】実施の形態に係る網体の構成の一例を示す図であり、（Ａ）は平面図、（Ｂ）は側面図である。
【図７】実施の形態に係る網体の説明に供する要部側面図である。
【図８】実施の形態に係る魚類卵回収方法の作業の流れを示すフローチャートである。
【図９】実施の形態に係る枠体の他の構成例を示す側面図である。
【図１０】実施の形態に係る連通部の他の構成例を示す側面図である。
【図１１】実施の形態に係る網体の他の構成例を示す要部平面図である。
【図１２】実施の形態に係る枠体の他の構成例の説明に供する要部側面図である。
【図１３】実施の形態に係る魚類卵回収具の他の構成例を示す要部平面図である。
【図１４】実施の形態に係る魚類卵回収具の他の構成例を示す要部断面図である。
【図１５】実施の形態に係る魚類卵回収具を用いて魚類の育成を行う場合の説明に供する側面図である。
【発明を実施するための形態】
【００２９】
以下、図面を参照して、本発明を実施するための形態について詳細に説明する。なお、ここでは、本発明を、遊休水田（以下、単に「水田」ともいう。）に適用し、卵の回収対象とする魚類として、ドジョウを適用した場合について説明する。
【００３０】
まず、図１〜図３を参照して、本実施の形態に係る魚類卵回収具１０の構成を説明する。なお、図１は、本実施の形態に係る魚類卵回収具１０の構成の一例を示す平面図である。また、図２は、図１の矢印Ａ方向から見た魚類卵回収具１０の側面図である。さらに、図３は、図１のＢ−Ｂ線断面図である。
【００３１】
図１〜図３に示すように、本実施の形態に係る魚類卵回収具１０は、水田１１の予め定められた領域の底に、予め定められた第１の方向（図１の矢印ａの方向）および当該第１の方向に交差（本実施の形態では、直交）する第２の方向（図１の矢印ｂの方向）に各々予め定められた間隔を空けて、平面視マトリクス状に配置された複数の台１２を備えている。なお、本実施の形態に係る魚類卵回収具１０では、台１２として、レンガを適用しているが、これに限らない。例えば、台１２として、コンクリートブロック等の固形物で、かつ水に対する耐侵食性を有する他の物を適用してもよい。また、台１２の材料としては、設置の際の作業性の観点から、水に浮かない材料が好ましい。
【００３２】
また、本実施の形態に係る魚類卵回収具１０では、上記予め定められた領域として、魚類卵回収具１０の設置時や、卵を回収する際の作業性の観点から、水田１１の縁に接する領域を適用しているが、これに限らない。上記予め定められた領域として、水田１１の任意の領域を適用してもよい。さらに、本実施の形態に係る魚類卵回収具１０では、上記第２の方向として、上記第１の方向に直交する方向を適用しているが、これに限らない。上記第２の方向として、上記第１の方向に交差する方向であれば、他の任意の方向を適用してもよい。
【００３３】
一方、本実施の形態に係る魚類卵回収具１０は、上記第１の方向に直線状に配置された台１２の組み合わせ毎に、各台１２間を架け渡すように配置された長尺状の複数の支持管１４ａを備えている。さらに、魚類卵回収具１０は、上記複数の支持管１４ａの上部に、各支持管１４ａの間を上記第２の方向に架け渡すように配置された長尺状の複数の支持管１４ｂを備えている。ここで、支持管１４ａ、１４ｂは、互いに重なっている部分が不図示の紐等で結束されることにより固定されている。なお、本実施の形態に係る魚類卵回収具１０では、支持管１４ａ、１４ｂとして、鋼管を適用しているが、これに限らない。例えば、支持管１４ａ、１４ｂとして、塩化ビニル管等を適用してもよい。また、支持管１４ａ、１４ｂの材料としては、設置の際の作業性の観点から、水に浮かない材料が好ましい。
【００３４】
また、本実施の形態に係る魚類卵回収具１０は、支持管１４ｂの上部に配置された、一端部および当該一端部に対向する他端部に開口部を有し、側壁にドジョウＤが通過可能な連通部１５を備えた筒状の枠体１６を２つ備えている。ここで、本実施の形態に係る枠体１６は、一例として図４に示すように、略矩形状で、かつ平板状の一対の木材１６ａと、当該木材１６ａより短手方向の長さが長く、略矩形状で、かつ平板状の一対の木材１６ｂと、が各々対となる木材が対向した状態で、各木材１６ａ、１６ｂが平面視矩形の各辺を構成するように組み合わされて形成されている。
【００３５】
より具体的には、各木材１６ａは、一端部に複数（本実施の形態では、２つ）の凸部１６ａ１が形成され、各木材１６ｂは、一端部に複数（本実施の形態では、２つ）の凸部１６ｂ１が形成されている。また、各木材１６ａは、他端部に木材１６ｂの凸部１６ｂ１と高さ方向の位置が同一で、かつ当該凸部１６ｂ１に対応する形状とされた、当該凸部１６ｂ１と同数の凹部１６ａ２が形成されている。さらに、各木材１６ｂは、他端部に木材１６ａの凸部１６ａ１と高さ方向の位置が同一で、かつ当該凸部１６ａ１に対応する形状とされた、当該凸部１６ａ１と同数の凹部１６ｂ２が形成されている。
【００３６】
そして、本実施の形態に係る枠体１６は、各木材１６ａの凸部１６ａ１が、隣接して配置される各木材１６ｂの凹部１６ｂ２に嵌め込まれる。さらに、本実施の形態に係る枠体１６は、各木材１６ｂの凸部１６ｂ１が、隣接して配置される木材１６ａの凹部１６ａ２に嵌め込まれる。以上の構成により、本実施の形態に係る枠体１６は、各木材１６ａ、１６ｂが平面視矩形の各辺を構成するように形成されている。
【００３７】
従って、本実施の形態に係る枠体１６は、上端部および下端部が開口部とされており、平面視矩形の筒状に形成されている。また、枠体１６は、図２および図３に示すように、各木材１６ａにより形成されている壁面の上端部が、各木材１６ｂにより形成されている壁面の上端部より低くなっている。ここで、本実施の形態に係る枠体１６は、枠体１６が水田１１に設けられた場合に、木材１６ａと木材１６ｂとの高さの差が、水面と木材１６ａの上端部との間をドジョウが通過可能とされる差となっている。このため、枠体１６は、各木材１６ｂの間で、かつ水面と各木材１６ａの上端部との間の領域が、ドジョウＤが通過可能とされた連通部１５とされている。なお、本実施の形態に係る魚類卵回収具１０では、枠体１６の色として、後述する水草２２と同一系統の色（本実施の形態では、緑系の色）を適用しているが、これに限らず、枠体１６の色として、他の色を適用してもよいことは言うまでもない。
【００３８】
一方、本実施の形態に係る枠体１６には、当該枠体１６の内部にドジョウＤの産卵場所を形成するようにドジョウＤの卵の大きさより小さな網目を有する網体（以下、「内網」という。）１８が設けられている。ここで、本実施の形態に係る内網１８は、枠体１６の下端部の開口部を内側から覆い、かつ当該枠体１６の壁面の内側に沿うように、当該枠体１６に設けられている。
【００３９】
また、図５に示すように、本実施の形態に係る内網１８は、周端部が枠体１６の各壁面の上端部に、目玉クリップやターンクリップ等の複数のクリップ１９により当該枠体１６に対して着脱可能に固定されている。この際、内網１８は、当該内網１８の周端部の一部が、枠体１６の各壁面の上端部の外側に位置するようにクリップ１９により枠体１６に対して固定されている。
【００４０】
なお、本実施の形態に係る魚類卵回収具１０では、内網１８として、ポリプロピレン製の網を適用しているが、これに限らない。例えば、内網１８として、ポリエステル製、グラスファイバー製、ステンレス製等の網を適用してもよい。また、本実施の形態に係る魚類卵回収具１０では、内網１８の網目の形状として、矩形を適用しているが、これに限らない。例えば、内網１８の網目の形状として、三角形等を適用してもよく、回収対象とする卵が内網１８の網目から漏れない寸法とされていれば、網目の形状は問わない。また、本実施の形態に係る魚類卵回収具１０では、内網１８を枠体１６に固定する部材として、クリップ１９を適用しているが、これに限らない。例えば、当該固定する部材として、ステープラー等を適用してもよい。さらに、本実施の形態に係る魚類卵回収具１０では、内網１８の色として、後述する水草２２と同一系統の色（本実施の形態では、緑系の色）を適用しているが、これに限らず、内網１８の色として、他の色を適用してもよいことは言うまでもない。
【００４１】
また、図１〜図３に示すように、本実施の形態に係る魚類卵回収具１０では、枠体１６の内部で、かつ内網１８で囲まれた領域に、紐２０で結束された複数の水草２２が配置されている。また、本実施の形態に係る魚類卵回収具１０は、枠体１６の内部に配置された複数の水草２２を、当該枠体１６の底部の内網１８に向けて押圧する水草押さえ部２３を備えている。
【００４２】
本実施の形態に係る水草押さえ部２３は、長尺状で、かつ平板状とされた渡し板２８と、当該渡し板２８と短手方向の長さ（幅）が略同一とされ、長尺状で、かつ平板状とされた押さえ板２４と、渡し板２８と押さえ板２４との間を連結する連結棒２６と、を有している。
【００４３】
本実施の形態に係る水草押さえ部２３は、渡し板２８の長手方向に対する長さが、枠体１６の上記第２の方向に対する長さより若干長く、押さえ板２４の長手方向に対する長さが、枠体１６の上記第２の方向に対する長さより若干短くされている。従って、図２および図３に示すように、本実施の形態に係る水草押さえ部２３は、渡し板２８の長手方向に対する両端部が枠体１６の上端部の上面に載せられた状態で、押さえ板２４の下面により、水草２２の上面を枠体１６の底部の内網１８に向けて押圧することができる。
【００４４】
なお、本実施の形態に係る水草押さえ部２３は、連結棒２６が、渡し板２８および押さえ板２４との間で適度な摩擦力をもって可動自在に結合されているため、複数の水草２２の各々の高さの変動を吸収した状態で、各水草２２を下方に向けて付勢することができる。
【００４５】
さらに、本実施の形態に係る魚類卵回収具１０は、水草押さえ部２３の渡し板２８の上面に載荷される重し部材３０を備えている。本実施の形態に係る重し部材３０は、枠体１６および水草２２を水田１１に沈めることが可能な重量を有する固形物により構成されている。従って、本実施の形態に係る魚類卵回収具１０では、重し部材３０が渡し板２８の上面に載荷された状態で、枠体１６は、下端部が支持管１４ｂの上部に接し、水草２２は、下面が枠体１６の底部の内網１８の上面に接する。なお、本実施の形態に魚類卵回収具１０では、重し部材３０として、レンガを適用しているが、これに限らない。例えば、重し部材３０として、コンクリートブロック等の他の固形物を適用してもよい。
【００４６】
一方、本実施の形態に係る魚類卵回収具１０は、枠体１６の周囲の支持管１４ｂの上に配置された、内網１８と同様にドジョウＤの卵の大きさより小さな網目を有する複数の組（本実施の形態では、４組）の網体（以下、「外網」という。）３２が設けられている。本実施の形態に係る外網３２は、図１に示すように、第１外網３２ａの一端と、第１外網３２ａと形状、材料、寸法が同一の第２外網３２ｂの他端と、が予め定められた長さの分、一方が他方の上になるように重ねられて構成されている。
【００４７】
ここで、図６および図７を参照して、本実施の形態に係る外網３２について詳細に説明する。なお、図６（Ａ）は、第１外網３２ａ（第２外網３２ｂ）の平面図であり、図６（Ｂ）は、第１外網３２ａ（第２外網３２ｂ）の側面図である。また、図７は、図１の矢印Ａ方向から見た外網３２の要部側面図である。
【００４８】
図６および図７に示すように、本実施の形態に係る第１外網３２ａは、長尺状で、かつ矩形上の網部３２ａ１の長手方向の両端に長尺状の棒鋼３２ａ２、３２ａ３が不図示の紐等で固定されている。ここで、本実施の形態に係る第１外網３２ａは、一方の棒鋼３２ａ２が支持管１４ｂの側部に垂れ下がるように配置されており、当該棒鋼３２ａ２は網部３２ａ１の重しの役目を果たしている。また、第１外網３２ａは、他方の棒鋼３２ａ３に網部３２ａ１が巻き付けられたり、巻き戻されたりすることにより、簡易に網部３２ａ１の長さを変更することができる。なお、本実施の形態に係る第２外網３２ｂは、第１外網３２ａと同様の構成であるので、ここでの詳細な説明は省略する。また、図１に示した第１外網３２ａ、３２ｂについては、錯綜を回避するために、棒鋼３２ａ２、３２ａ３、３２ｂ２、３２ｂ３の図示を省略している。
【００４９】
次に、図８を参照して、本実施の形態に係る魚類卵回収具１０を用いた魚類の卵を回収する際の準備段階から実際に卵を回収するまでの作業の流れを説明する。なお、図８は、当該作業を行う作業者によって実行される作業の流れを示すフローチャートである。
【００５０】
まず、ステップ１００では、作業者は、上述したように、水田１１の底に複数の台１２を設置した後、各台１２間を架け渡すように複数の支持管１４ａを設置し、さらに、各支持管１４ａの上部に複数の支持管１４ｂを設置する。次のステップ１０２では、作業者は、上述したように、支持管１４ｂの上に複数（本実施の形態では、２つ）の枠体１６を設置し、次のステップ１０４にて、作業者は、上述したように、各枠体１６の内部に内網１８を装着した後、複数のクリップ１９により内網１８の周端部を枠体１６の上端部に固定する。なお、本実施の形態では、作業者は、内網１８の枠体１６への装着を、枠体１６を水田１１に設置した後に行っているが、これに限らず、前もって内網１８を枠体１６に装着した後に、当該枠体１６を水田１１に設置してもよい。
【００５１】
次のステップ１０６では、作業者は、上述したように、各枠体１６の内部で、かつ内網１８で囲まれた領域に、紐２０で結束した複数の水草２２を設置し、次のステップ１０８にて、作業者は、上述したように、水草押さえ部２３を各枠体１６に設置した後、水草押さえ部２３の渡し板２８の上に重し部材３０を設置する。そして、次のステップ１１０にて、作業者は、上述したように、各枠体１６の外側の領域の支持管１４ｂの上部に複数の外網３２を設置する。なお、作業者は、水草２２を必ずしも紐等で結束する必要はなく、個々の水草をばらけた状態で設置してもよい。
【００５２】
次のステップ１１２では、作業者は、予め定められた数のドジョウＤの雄と雌の親魚を水田１１に放流する。この際、作業者は、各枠体１６の内側の領域に親魚を放流してもよいし、各枠体１６の外側の水田１１の任意の領域に親魚を放流してもよい。なお、本実施の形態では、上記予め定められた数として、水田１１の面積が広くなるほど多い数（一例として、１ｍ２当り雄、雌ともに２匹ずつ）を適用しているが、これに限らず、水田１１に生息する、ドジョウＤの餌の量、ドジョウＤの放流の時期等に応じて、上記予め定められた数を適宜設定してもよいことは言うまでもない。
【００５３】
次のステップ１１４では、作業者は、予め定められた期間待機する。なお、本実施の形態では、作業者は、上記ステップ１００〜ステップ１１２の作業を実行した日の翌日の午前中の予め定められた時刻（例えば９時）まで待機する。ここで、作業者が翌日の午前中まで待機するのは、ドジョウＤは、早朝（夜明け頃）から午前６時頃までに産卵を行うことが多いためである。
【００５４】
次のステップ１１６では、作業者は、内網１８、水草２２、および外網３２の少なくとも１つにドジョウＤの卵が産み付けられているか否かを確認する。ここで、作業者は、卵が産み付けられていることを確認した場合は、ステップ１１８に移行し、卵が産み付けられていることを確認できなかった場合には、上記ステップ１１４に戻り、再び翌日の上記午前中の予め定められた時刻まで待機する。なお、本実施の形態では、作業者が、卵が産み付けられているか否かを確認する対象として、内網１８、水草２２、および外網３２の全てを適用しているが、これに限らない。当該確認する対象として、内網１８、水草２２、および外網３２の何れか１つを適用してもよいし、これらの２つの組み合わせを適用してもよい。
【００５５】
ステップ１１８では、作業者は、予め定められた期間待機する。なお、本実施の形態では、作業者は、上記ステップ１１６の作業により、卵が産み付けられていることを確認した日の夕方の予め定められた時刻（例えば１６時）まで待機する。ここで、作業者が当該時刻まで待機するのは、ドジョウＤは産卵を行った後、夕方まで水田１１の底で休養する習性があり、ドジョウＤに対して極力ストレスを与えないためである。また、当該習性により、待機している期間に、親魚によって卵が食べられる可能性は低い。
【００５６】
次のステップ１２０では、作業者は、各第１外網３２ａを水田１１から取り出す。この際、作業者は、第１外網３２ａを水中から引き上げる際に、第１外網３２ａの両端の棒鋼３２ａ２、３２ａ３を把持し、斜め上方に引き上げる。これにより発生する水の抵抗により、ドジョウＤや他の水田１１の生息物の行動等によって水田１１の底から舞い上がって第１外網３２ａに付着した泥等の浮遊物が、第１外網３２ａの網目を通り落下して取り除かれる。そして、作業者は、各第１外網３２ａから棒鋼３２ａ２、３２ａ３を取り外し、各第１外網３２ａの網部３２ａ１を、別途用意した不図示の水槽の水中に沈めて揺り動かす。これにより、網部３２ａ１に付着した卵は、網部３２ａ１から離脱して、上記水槽の水中に回収される。なお、この際、網部３２ａ１に微量の卵が付着したまま残っている場合があり、この場合、作業者は、網部３２ａ１を上記水槽の水中に沈めておく。さらに、作業者は、第２外網３２ｂに対しても第１外網３２ａと同様の作業を行う。
【００５７】
次のステップ１２２では、作業者は、重し部材３０を渡し板２８の上部から退避した後、水草押さえ部２３を各枠体１６から取り出す。本ステップ１２０の作業により、各枠体１６および水草２２は、水田１１の水に浮いた状態となる。そこで、次のステップ１２４では、作業者は、各枠体１６を水に浮いた状態で水田１１の縁まで移動させる。この移動による水の抵抗によって、内網１８に付着した上記浮遊物が、内網１８の網目を通り落下して取り除かれる。
【００５８】
次のステップ１２６では、作業者は、水草２２を各枠体１６から取り出し、当該水草２２を上記水槽の水中に沈めることにより卵を回収する。また、作業者は、クリップ１９を取り外し、内網１８の枠体１６の外側に位置する部分を把持して、内網１８を各枠体１６から取り外す。そして、作業者は、取り外した内網１８を、上記水槽の水中に沈めて揺り動かす。これにより、内網１８に付着した卵は、内網１８から離脱して、上記水槽の水中に回収される。なお、この際も、内網１８に微量の卵が付着したまま残っている場合があり、この場合、作業者は、内網１８を上記水槽の水中に沈めておく。
【００５９】
作業者は、ドジョウＤの産卵期に以上のステップ１００〜ステップ１２６の作業を繰り返し実行することにより、大量の卵を効率よく回収することができる。なお、本実施の形態では、上記ステップ１１２の作業によりドジョウＤを水田１１に放流する場合について説明したが、これに限らず、元々ドジョウＤが生息する水域に魚類卵回収具１０を設置し、ドジョウＤを放流しない形態としてもよいことは言うまでもない。
【００６０】
以上詳細に説明したように、本実施の形態では、魚類卵回収具（本実施の形態では、魚類卵回収具１０）が、一端部および当該一端部に対向する他端部に開口部を有し、側壁に卵の回収対象とされる魚類（本実施の形態では、ドジョウＤ）が通過可能な連通部（本実施の形態では、連通部１５）を備えた筒状の枠体（本実施の形態では、枠体１６）と、前記枠体に対して着脱可能で、かつ前記魚類の卵の大きさより小さな網目を有すると共に、前記枠体に装着された状態で、前記枠体の内部に前記魚類の産卵場所を形成するように少なくとも一部が前記枠体の内部に収納される網体（本実施の形態では、網体１８）と、を備えているので、効率よく卵を回収することができる。
【００６１】
また、本実施の形態では、前記網体が、前記枠体に装着された状態で、前記枠体の他端部（本実施の形態では、下端部）の開口部を内側から覆うように、当該枠体の内部に収納されているので、産卵された卵は網体によってもれなく捕獲される結果、より効率よく卵を回収することができる。
【００６２】
また、本実施の形態では、前記網体が、前記枠体の内部に収納された場合に、周端部が当該枠体の外部に位置する部分を有しているので、網体の当該周端部を把持した状態で当該網体を枠体から取り外すことができる結果、より簡易に卵を回収することができる。
【００６３】
特に、本実施の形態では、前記枠体は、水に浮く材料（本実施の形態では、木材）で構成されると共に、前記魚類が産卵可能な水域（本実施の形態では、水田１１）に設置された状態で、前記側壁の水面下に位置する部分に前記連通部の少なくとも一部を備えているので、枠体が水に浮いた状態で卵を回収する作業を行うことができる結果、より効率よく卵を回収することができる。
【００６４】
また、本実施の形態では、前記枠体の内部に前記網体が収納された状態で、前記網体により形成された産卵場所に前記魚類が産卵するための水草（本実施の形態では、水草２２）を保持する保持部材（本実施の形態では、水草押さえ部２３）をさらに備えているので、魚類にとって産卵しやすい環境を作り上げることができる結果、より多量の卵を産卵させることができ、この結果として、より効率よく卵を回収することができる。
【００６５】
特に、本実施の形態では、前記枠体および前記網体が、前記水草と同一系統の色（本実施の形態では、緑系の色）に着色されているので、魚類にとって産卵しやすい環境を作り上げることができる結果、より効率よく卵を回収することができる。
【００６６】
また、本実施の形態では、前記卵の回収対象とされる魚類が、ドジョウであるので、ドジョウにより枠体の内側で泥底にばらまくように産卵された卵を網体により回収できる結果、効率よく卵を回収することができる効果を、より享受することができる。
【００６７】
さらに、本実施の形態では、内網１８および外網３２が、水田１１の底から離間されて設けられているので、内網１８および外網３２に上記浮遊物が付着し難い。
【００６８】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００６９】
また、上記の実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における適宜の組み合わせにより種々の発明を抽出できる。実施の形態に示される全構成要件から幾つかの構成要件が削除されても、効果が得られる限りにおいて、この幾つかの構成要件が削除された構成が発明として抽出され得る。
【００７０】
例えば、上記実施の形態では、枠体１６を２つ設けた場合について説明したが、本発明はこれに限定されるものではない。例えば、枠体１６を１つ設けた形態としてもよいし、枠体１６を３つ以上設けた形態としてもよく、枠体１６の数は、設置場所の面積や、目標とする卵の回収数等に応じて適宜決めればよい。
【００７１】
また、上記実施の形態では、枠体１６を、平面視矩形の筒状のものとした場合について説明したが、本発明はこれに限定されるものではない。例えば、枠体１６として、平面視円形の筒状、すなわち、円筒状のものとする形態としてもよく、平面視三角形や五角形以上の角形の筒状のものとする形態としてもよい。
【００７２】
また、上記実施の形態では、枠体１６として、下端部と上端部との平面視の形状および寸法が同一（合同）のものを適用した場合について説明したが、本発明はこれに限定されるものではない。例えば、図９（Ａ）、（Ｂ）に示すように、枠体１６として、下端部と上端部との平面視の形状が同一であり、かつ下端部から上端部にかけて側面視の面積が徐々に小さく、または徐々に大きくなるものを適用する形態としてもよい。また、図９（Ｃ）、（Ｄ）に示すように、枠体１６として、下端部と上端部との平面視の形状等が合同であり、側面視の中間部が下端部や上端部に比較して面積が小さく、または大きくなるものを適用する形態としてもよい。さらに、枠体１６として、下端部の開口部が平面視矩形状であり、上端部の開口部が平面視円状といったように、下端部の開口部と上端部の開口部との平面視の形状が異なるものを適用する形態としてもよい。
【００７３】
また、上記実施の形態では、枠体１６を、略矩形状で、かつ平板状の４つの木材を用いて、各木材が平面視矩形の各辺を構成するように嵌め込むことにより構成した場合について説明したが、本発明はこれに限定されるものではない。例えば、枠体１６の成形金型を予め作製し、当該成形金型およびプラスチック等の材料を用いて枠体１６を成形することにより枠体１６を構成する形態としてもよい。なお、この場合の枠体１６の材料は、上記実施の形態に係る枠体１６と同様に、水に浮く材料が好ましい。
【００７４】
また、上記実施の形態では、枠体１６を水田１１に設置した場合に、枠体１６の木材１６ａの上端部が水面下に位置するように枠体１６を構成することにより、連通部１５を設けた場合について説明したが、本発明はこれに限定されるものではない。例えば、図１０に示すように、枠体１６を水田１１に設置した場合に、全ての壁面の上端部が水面上に位置するように枠体１６を構成し、枠体１６の水面下に位置する一部の領域（一例として上端部近傍の領域）に上記魚類が通過可能な連通部１５を設ける形態としてもよい。
【００７５】
また、上記実施の形態では、内網１８を、枠体１６の下端部の開口部を内側から覆うように設けた場合について説明したが、本発明はこれに限定されるものではない。例えば、内網１８を、連通部１５より下方で、かつ枠体１６の上端部の開口部と下端部の開口部との間を仕切るように設ける形態としてもよい。
【００７６】
また、上記実施の形態では、魚類卵回収具１０の設置場所として、水田１１を適用した場合について説明したが、本発明はこれに限定されるものではない。例えば、魚類卵回収具１０の設置場所として、水田１１以外の人工池や天然の池等、卵の回収対象とする魚類が生息可能な他の水域を適用する形態としてもよい。
【００７７】
また、上記実施の形態では、魚類卵回収具１０により卵を回収する対象の魚類として、ドジョウＤを適用した場合について説明したが、本発明はこれに限定されるものではない。例えば、当該魚類として、メダカ、コイ、フナ等の他の魚類を適用してもよい。
【００７８】
また、上記実施の形態では、内網１８として、１枚の網を適用した場合について説明したが、本発明はこれに限定されるものではない。例えば、内網１８として、複数の網を用いて形成された網を適用する形態としてもよい。この場合、内網１８として、一例として図１１に示すように、２枚の網１８ａ、１８ｂの一端を不図示のステープラー、目玉クリップ、ターンクリップ等により接合する形態が例示される。また、この場合、枠体１６の底部で、かつ網１８ａ、１８ｂの接合部の下部に、当該接合部の補強用として、一例として平板状の補強板５０等を設けることが好ましい。
【００７９】
また、上記実施の形態では、枠体１６の下端部の開口部、すなわち内網１８により内側から覆われている開口部を水田１１の底から離間させるために、台１２および支持管１４ａ、１４ｂを用いた場合について説明したが、本発明はこれに限定されるものではない。例えば、図１２に示すように、枠体１６の木材１６ｂとして、水田１１に直接設置した場合に、重力方向の長さが、上端部を含む一部の領域が水面上に突出するサイズのものを用いることにより、枠体１６の下端部の開口部を水田の底から離間させる形態としてもよい。
【００８０】
また、上記実施の形態では、枠体１６が一端部および当該一端部に対向する他端部に開口部を有する筒状である場合について説明したが、本発明はこれに限定されるものではない。例えば、一例として図１３に示すように、枠体１６の下端部の開口部を平板状のものにより閉塞させ、枠体１６の内側に、水に浮く材料で形成され、上端部に開口部を有し、平面視矩形の複数（同図に示す例では、４つ）の箱体５４を互いに接するように平面視マトリクス状に設置する形態としてもよい。この場合、箱体５４の内側には、水草２２が配置される。また、この場合、一例として図１４に示すように、箱体５４の対向する側壁の上端部を架け渡すように、水草２２を押さえるための紐５６を設ける形態としてもよいし、箱体５４の外側の壁面に、箱体５４を枠体１６から取り出す際に把持するための紐５８を設ける形態としてもよい。
【００８１】
さらに、上記実施の形態では、魚類卵回収具１０を魚類の卵を回収するためだけに用いる場合について説明したが、本発明はこれに限定されるものではない。例えば、魚類卵回収具１０を用いて、卵の回収に加えて、一部の卵の孵化から成魚への成長までの魚類の育成を行う形態としてもよい。この場合、一例として図１５に示すように、枠体１６の連通部１５に、対象とする魚類が通過できない程度の大きさの網目を有する網体６０を設けることが好ましい。
【００８２】
その他、上記実施の形態で説明した魚類卵回収具１０の構成（図１〜図３参照。）は一例であり、本発明の主旨を逸脱しない範囲内において、不要な構成要素を削除したり、新たな構成要素を追加したりすることができることは言うまでもない。
【００８３】
さらに、上記実施の形態で示した魚類の卵を回収する際の作業の流れ（図８参照。）も一例であり、本発明の主旨を逸脱しない範囲内において、不要なステップを削除したり、新たなステップを追加したり、ステップの順序を入れ替えたりすることができることは言うまでもない。
【符号の説明】
【００８４】
１０  魚類卵回収具
１２  台
１４ａ、１４ｂ  支持管
１５  連通部
１６  枠体
１８  内網（網体）
２２  水草
２３  水草押さえ部（保持部材）
２４  押さえ板
２６  連結棒
２８  渡し板
３０  重し部材
３２  外網
Ｄ  ドジョウ
【要約】
【課題】効率よく卵を回収することのできる魚類卵回収具および魚類卵回収方法を提供する。
【解決手段】魚類卵回収具１０を、一端部および当該一端部に対向する他端部に開口部を有し、側壁にドジョウＤが通過可能な連通部１５を備えた筒状の枠体１６と、枠体１６に対して着脱可能で、かつドジョウＤの卵の大きさより小さな網目を有すると共に、枠体１６に装着された状態で、枠体１６の内部にドジョウＤの産卵場所を形成するように少なくとも一部が枠体１６の内部に収納される網体１８と、を備えて構成する。
【選択図】図２【図２】
0005536950.tif 000002
【図４】
0005536950.tif 000003
【図５】
0005536950.tif 000004
【図７】
0005536950.tif 000005
【図８】
0005536950.tif 000006
【図９】
0005536950.tif 000007
【図１０】
0005536950.tif 000008
【図１２】
0005536950.tif 000009
【図１３】
0005536950.tif 000010
【図１】
0005536950.tif 000011
【図３】
0005536950.tif 000012
【図６】
0005536950.tif 000013
【図１１】
0005536950.tif 000014
【図１４】
0005536950.tif 000015
【図１５】
0005536950.tif 000016